(57)【要約】【課題】洗濯ばさみを取り上げやすく、また、取り上げてから持ち変えることなく、そのまま把持部を把持して押し縮め把持部を開いて洗濯物を挟むことができ、取り上げから洗濯物を挟むまでの一連の作業をスムーズに行うことができる、使い勝手のよい洗濯ばさみを提供する。【解決手段】２本の挟持片２と付勢手段６からなり、挟持片２は一端が把持部３、他端が挟持部４とされ、把持部３と挟持部４の間に支軸部５が設けられており、２本の挟持片２は支軸部５で組み合わされるとともに、付勢手段６により互いの挟持部４が閉じる方向に付勢されており、把持部３を押し縮めることにより挟持部４が開くように構成されており、把持部３には、前記把持部３の広がり方向に突出する複数個の突出部３ａが設けられていることを特徴とする洗濯ばさみ１である。【選択図】図１
2018117650.tif 000002
【特許請求の範囲】
【請求項１】
２本の挟持片と付勢手段からなり、
挟持片は一端が把持部、他端が挟持部とされ、把持部と挟持部の間に支軸部が設けられており、
２本の挟持片は支軸部で組み合わされるとともに、付勢手段により互いの挟持部が閉じる方向に付勢されており、把持部を押し縮めることにより挟持部が開くように構成されており、
把持部には、該把持部の広がり方向に突出する複数個の突出部が設けられていることを特徴とする洗濯ばさみ。
【請求項２】
突出部は、幅が５〜１０ｍｍ、突出長さが５〜１０ｍｍであることを特徴とする請求項１に記載の洗濯ばさみ。
【請求項３】
突出部の先端側は開閉方向外側に膨出しており、突出部の先端側から中心部に向かって傾斜していることを特徴とする請求項１又は請求項２に記載の洗濯ばさみ。
【請求項４】
把持部の挟持部側に膨出部が設けられ、該膨出部と把持部の広がり方向に突出する突出部の膨出部とが円周状に配列されていることを特徴とする請求項１乃至請求項３のいずれか１項に記載の洗濯ばさみ。
【請求項５】
膨出部が花びら状であることを特徴とする請求項４に記載の洗濯ばさみ。
【請求項６】
把持部の中央付近に円形の溝が刻設されていることを特徴とする請求項１乃至請求項５のいずれか１項に記載の洗濯ばさみ。
【請求項７】
挟持部の内面側に広がり方向に突出する複数個の突出部が開閉方向に膨出した膨出部が形成されていることを特徴とする請求項１乃至請求項６のいずれか１項に記載の洗濯ばさみ。
【請求項８】
膨出部が花びら状であることを特徴とする請求項７に記載の洗濯ばさみ。
【発明の詳細な説明】
【技術分野】
【０００１】
本発明は洗濯物を干す際に用いる洗濯ばさみに関し、更に詳しくは、洗濯ばさみを取り上げやすく、また、取り上げてから持ち変えることなく、そのまま把持部を把持して押し縮め把持部を開いて洗濯物を挟むことができ、取り上げから洗濯物を挟むまでの一連の作業をスムーズに行うことができる、極めて、使い勝手の良い洗濯ばさみに関する。
【背景技術】
【０００２】
従来より、洗濯物を干す際には、特許文献１や特許文献２に示したような洗濯ばさみを用いて、洗濯物を物干し竿、ロープやハンガーに固定する。このような場合に用いる洗濯ばさみは、通常特許文献１又は２に示すような、２本の挟持片とばね等の付勢手段からなり、把持部をつまんで押し縮めることにより、挟持部を広げることが出来るように構成されている。そして、広がった挟持部の間に洗濯物を挿入してから把持部から手を離すと、付勢手段により挟持部が閉じられ、付勢手段の付勢力により挟持部が洗濯物を挟持する。
【先行技術文献】
【特許文献】
【０００３】
【特許文献１】特開平９−２８９９０号公報
【特許文献２】特開２０１５−１１６２４７号公報
【発明の概要】
【発明が解決しようとする課題】
【０００４】
特許文献１に示されたような洗濯ばさみは、多数の洗濯ばさみが一定の方向ではなく種々の方向に向いた状態で容器内に収容され、使用の際に１個づつ取り上げられて使用される。しかしながら、これらの洗濯ばさみは、あらゆる方向に向いているため、容器から取り上げることも容易ではなく、取り上げた後もそのままでは把持部を摘むことが困難で、一旦摘みやすい方向に持ち変えてから使用する必要がある。しかし、うまく持ち変えることができず、指先が把持部の端や角を摘んでしまい、そのような状態で押し縮めようとした場合、ばね等の付勢手段が本来の方向とは異なる方向に作用し、洗濯ばさみをはじき飛ばしたり、落下させてしまうといったトラブルがしばしば発生する。このため、時間が掛かり、極めて作業性が悪いという問題がある。
また、通常、洗濯物は濡れているために手指も濡れており、このため、洗濯ばさみを取り上げる際に滑り易く、益々作業性が低下することになる。
【０００５】
一方、特許文献２に示されたハンガーは、矩形や円形の枠体に多くの洗濯ばさみが吊り下げられており、一度に多くの洗濯物を干すことができるのが特徴である。
しかしながら、この場合も、洗濯ばさみは種々な方向に向いており、特に、少しでも風があると、種々な方向に向きを変える。このため、必然的に摘み易い方向に向きを変え、一旦摘み易い方向に持ち変えてから洗濯物を挟む必要があり、上記特許文献１の洗濯ばさみ以上に時間が掛かり、作業性が一段と悪くなる。
【０００６】
本発明者は、かかる実情に鑑み、上記問題点を解消するべく鋭意研究の結果、把持部の形状を工夫することにより、洗濯ばさみを取り上げてから一旦持ち変えることなく直ちに把持でき、洗濯ばさみをはじき飛ばしたり、落下させることなく、余分な力を使わずに、洗濯物を挟む一連の作業をスムーズに行える、極めて使い勝手の良い洗濯ばさみを提供できることを見出し、本発明を完成するに至った。
即ち、本発明は、上記問題点を解消した、使い勝手の良い洗濯ばさみを提供することを目的とする。
【課題を解決するための手段】
【０００７】
本発明は上記目的を達成するためになされたもので、本発明の特徴は、２本の挟持片と付勢手段からなり、
挟持片は一端が把持部、他端が挟持部とされ、把持部と挟持部の間に支軸部が設けられており、
２本の挟持片は支軸部で組み合わされるとともに、付勢手段により互いの挟持部が閉じる方向に付勢されており、把持部を押し縮めることにより挟持部が開くように構成されており、
把持部には、前記把持部の広がり方向に突出する複数個の突出部が設けられている洗濯ばさみを内容とする。
【０００８】
本発明の別の特徴は、突出部は、幅が５〜１０ｍｍ、突出長さが５〜１０ｍｍである上記の洗濯ばさみを内容とする。
【０００９】
本発明の更に別の特徴は、突出部の先端側は開閉方向外側に膨出しており、突出部の先端側から中心部に向かって傾斜している上記の洗濯ばさみを内容とする。
【００１０】
本発明の別の特徴は、把持部の挟持部側に膨出部が設けられ、該膨出部と把持部の広がり方向に突出する突出部の膨出部とが円周状に配列されていることを特徴とする上記の洗濯ばさみを内容とする。
【００１１】
本発明の更に別の特徴は、膨出部が花びら状である上記の洗濯ばさみを内容とする。
【００１２】
本発明の更に別の特徴は、把持部の中央付近に円形の溝が刻設されていることを特徴とする上記の洗濯ばさみを内容とする。
【００１３】
本発明の別の特徴は、挟持部の内面側に広がり方向に突出する複数個の突出部が開閉方向に膨出した膨出部が形成されている上記の洗濯ばさみを内容とする。
【００１４】
本発明の更に別の特徴は、膨出部が花びら状である上記の洗濯ばさみを内容とする。
【発明の効果】
【００１５】
本発明の洗濯ばさみは、把持部に複数個の突出部が設けられているので、そのいずれかの突出部を摘めば取り上げることができ、たとえ種々な方向に向いた洗濯ばさみでも簡単且つ確実に突出部を持って取り上げることができる。
また、取り上げた洗濯ばさみは、従来のように一旦持ち変える必要がなく、直ちに把持部を押し縮めて挟持部を開いて洗濯物を挟むことができ、洗濯物を取り上げてから洗濯物を挟む一連の作業をスムーズに行うことができる。従って、付勢手段に変な力が掛かることがないので余分な力を使うことがなく、また、洗濯ばさみをはじき飛ばしたり、落下させるといったトラブルが防止される。
【００１６】
ハンガーから吊り下げられている洗濯ばさみは方向が変わり易く、少しの風でも方向が大きく変わるが、この場合も洗濯ばさみを摘むと同時にスムーズに洗濯物を挟む作業を行うことができる。また、対角線の位置にある把持部の突出部に指（親指と人差指）が掛かれば洗濯ばさみが回転して使用者に対して所望の方向に向きを変えるため、使い勝手が良い。
【００１７】
突出部は、幅が５〜１０ｍｍ、突出長さが５〜１０ｍｍであると指が掛かり易いので摘み易く、また、突出片が指に食い込むので洗濯ばさみを簡単且つ確実に取り上げることができる。
また、突出部の先端側は開閉方向外側に膨出しており、突出部の先端側から中心部に向かって傾斜していると、把持部と指とのフィット性が良好で、把持部に力を加えて押し縮める作業がし易くなる。
更に、把持部の挟持部側にも膨出部が設けられ、該膨出部と把持部の広がり方向に突出する突出部の膨出部とが円周状に配列されていると、円形状の窪みが形成され、把持部と指とのフィット性が更に向上する。
【００１８】
膨出部が花びら状であると上記把持機能に加えてデザイン的にも優れ、また、把持部の中央付近に円形の溝が刻設されていると、指が溝に食い込んで指が滑りにくくなるとともに、花芯のような印象を与え、使い心地が向上する。
挟持部の内面側に広がり方向に突出する複数個の突出部が開閉方向に膨出した膨出部が形成されていると洗濯物を挟持し易く、また、デザイン的にも優れており、更に、膨出部が花びら状であると一層デザイン的に心地良さを与え、使い勝手が良好となる。
【図面の簡単な説明】
【００１９】
【図１】図１は本発明の洗濯ばさみの一例を示す正面図である。
【図２】図２は図１の洗濯ばさみの側面図である。
【図３】図３は図２のＡ−Ａ断面図である。
【発明を実施するための形態】
【００２０】
本発明の洗濯ばさみ１は、図１乃至図３に示すように、２本の挟持片２と付勢手段６からなり、挟持片２は一端が把持部３、他端が挟持部４とされ、把持部３と挟持部４の間に支軸部５が設けられており、２本の挟持片２は支軸部５で組み合わされるとともに、付勢手段６により互いの挟持部４が閉じる方向に付勢されており、把持部３を押し縮めることにより挟持部４が開くように構成されており、把持部３には、該把持部３の広がり方向に突出する複数個の突出部３ａが設けられていることを特徴とする。
【００２１】
本発明の洗濯ばさみ１は、図１に示すように、２本の挟持片２と付勢手段６からなり、本発明の洗濯ばさみは通常の洗濯ばさみと同様、両把持部３を指（通常、親指と人差指）で押し縮めることにより挟持部４が開くように構成されている。
【００２２】
本発明における挟持片２は、一端が把持部３とされ、他端が挟持部４とされている。把持部３と挟持部４の間に支軸部５が設けられ、２本の挟持片２がこの支軸部５で軸止されている。
【００２３】
本発明の洗濯ばさみ１は、図２に示したように、前記把持部３の広がり方向に突出する複数個の突出部３ａが把持部３に設けられていることを特徴とする。突出部３をは複数個設けられているため、洗濯ばさみ１を摘み上げる際、この突出部３ａのいずれかを親指と人差指で摘むことにより、容易に且つ確実に摘み上げることができる。また、ハンガーに吊り下げられた洗濯ばさみ１を扱う際には、例えば、使用者に対して斜め方向を向いた摘みにくい洗濯ばさみ１であっても、この突出部３ａに指をかけることにより、洗濯ばさみ１を使用者の所望の方向に回転させて把持部３を把持することができる。
【００２４】
本発明において突出部３ａの形状は、把持部３の広がり方向、即ち把持部３の開閉方向に対して直角方向に突出している限り特に限定されないが、図３に記載のように、突出部３ａの先端側が開閉方向外側に膨出しており、突出部３ａの先端側から中心部に向かって傾斜している形状とすれば、吊り下げられた洗濯ばさみ１を摘んだときに、洗濯ばさみ１が使用者の面にを向きやすくなる。また、把持部３を摘む際に指が把持部３の中心に導かれやすくなり、導かれた指は把持部３の中心部に向かう傾斜面により形成される凹状面は、指の形状にフィットし易いように弧状に形成することが好ましい。指が凹状面にフィットするので滑ることがなく、把持部３に力を加えて押し縮める操作がし易すくなる。
【００２５】
また、突出部３ａの大きさも特に限定されないが、一般的なサイズの洗濯ばさみ１の場合、幅Ｗが５〜１０ｍｍ、突出長さＬが５〜１０ｍｍ程度であれば、摘み上げやすく、また、摘んだ際に指に食い込むので滑ることがなく確実に摘むことができ使い勝手が良好である。突出部３ａの数は３〜８個程度が適当で、３個未満では摘みにくくなり、８個を越えると突出部３ａ同士が近接するので、かえって摘みにくくなり、また、突出部３ａ間の隙間が小さくなるので、把持部３に指をかけた際に、突出部３ａが指に食い込みにくくなる傾向がある。また、突出部３ａの形状は、角部のない円形や楕円形とすると、指を当てた際に痛くないので好ましい。角部を有する場合は、角部をアール処理するのがこのましい。
【００２６】
本発明においては、把持部３の挟持部４側にも膨出部３ｂを設けてもよい。これによって、突出部３ａが把持部３に円周状に設けられることにより、それらの先端側から中心部に向かって傾斜するので円形状の凹状面となり、凹状面に指が包みこまれるのでフィット性が高くなる。この結果、把持部３に指を置いた際に、指が円形状の凹状面に周囲から接触支持されるので指が把持部３から滑りにくくなり、両把持部３を押し縮め挟持部４を開くことが容易となる。この際、上記の突出部３ａ及び膨出部３ｂを花びら状とし、全体として花の形状をなすようにすれば、デザイン的にも優れている。
【００２７】
本発明において、把持部３の中央付近に溝３ｃを刻設すれば、把持部３を指で把持する際の滑り止めとして機能するため、一層洗濯ばさみ１を使いやすくなる。この際、溝の形状は特に限定されないが、例えば、円形とすれば、指が溝に食い込んで、前後左右いずれの方向にも指が滑りにくくなるため、一層好ましい。なお、前述のように突出部３ａ及び膨出部３ｂを花びら状とした場合、溝の内側が花芯のように見え、デザイン的にも一層優れている。
【００２８】
本発明の洗濯ばさみ１において、挟持部４は後述の付勢手段６の付勢力を利用して洗濯物を挟持する部分である。挟持部４の形状は特に限定されず、一般的な洗濯ばさみにおいて使用されている挟持部４の形状がすべて好適に使用される。
【００２９】
また、挟持部４の形状を、内面側に広がり方向に突出する複数個の突出部が開閉方向に膨出した膨出部４ａを形成したものとすれば、洗濯物を挟持しやすくなる。この際、膨出部４ａの形状を花びら状とすれば、デザイン的にも優れた洗濯ばさみ１となる。
【００３０】
本発明において付勢手段６は、通常の洗濯ばさみと同様、支軸部５で軸止された２本の挟持片２を、挟持部４が閉じる方向に付勢するための部材である。その形状は特に限定されないが、通常の洗濯ばさみと同じく、リング状に湾曲させた金属棒の両端を挟持部４の外側に固定したものが例示できる。その他、コイルばね、板ばね等のばね、ゴムなどの弾性部材を用いて挟持部４を付勢する構造であってもよい。
【００３１】
本発明における挟持片２の材質は特に限定されないが、プラスチック製とするのが好ましい。プラスチックとしては特に制限されないが、ポリプロピレン等のポリオレフィン系樹脂、ポリスチレン系樹脂、ＡＢＳ樹脂、ポリカーボネート樹脂等が挙げられる。
【産業上の利用可能性】
【００３２】
叙上のとおり、本発明の洗濯ばさみは、使用者が洗濯物を干す際に、洗濯ばさみを取り上げやすく、また、取り上げてから持ち変えることなく、そのまま把持部を把持して押し縮め把持部を開いて洗濯物を挟むことができ、取り上げから洗濯物を挟むまでの一連の作業をスムーズに行うことができる。従って、使い勝手が良好であり、その利便性は頗る大である。
【符号の説明】
【００３３】
１  洗濯ばさみ
２  挟持片
３  把持部
３ａ  突出部
３ｂ  膨出部
３ｃ  溝
４  挟持部
４ａ  膨出部
５  支軸部
６  付勢手段
Ｗ  幅
Ｌ  突出長さ
【図１】
2018117650.tif 000003
【図２】
2018117650.tif 000004
【図３】
2018117650.tif 000005